(57)【要約】【課題】  折りたたみ型携帯通話機において、筐体を開閉することなく簡単な操作で、より確実に所定の動作を行わせ得るようにすること。【解決手段】  折りたたみ型携帯電話機は、筐体要素２０１、筐体要素２０１に対して回転自在に取り付けられた筐体要素２０２とを有し、未使用時に筐体要素２０１、２０２が相対的に折りたたまれると共に使用時に筐体要素２０１、２０２が相対的に開いて使用される筐体を備えると共に、筐体要素２０１、２０２の外側に人体の接触を検出するための感熱センサ１０２を備えており、筐体が平常帯にあり且つ、センサ１０２からの信号に基づいて人体が筐体に接触したと判断したときに、アラームの鳴動の停止等の所定の処理を実行する。【選択図】  図１
2006121257.tif 000002
【特許請求の範囲】
【請求項１】
第１の筐体要素と、前記第１の筐体要素に対して回転自在に取り付けられた第２の筐体要素とを有し、未使用時に前記第１、第２の筐体要素が相対的に折りたたまれると共に使用時に前記第１、第２の筐体要素が相対的に開いて使用される筐体を備えた折りたたみ型携帯通話機において、
前記第１、第２の筐体要素の少なくとも一方の外側に設けられ人体の接触を検出するためのセンサと、筐体の開閉を検出する開閉検出手段と、前記筐体が閉状態であることを前記開閉検出手段が検出している状態で、前記センサからの信号に基づいて人体が前記筐体に接触したと判断したときに、所定の処理を実行する実行手段とを備えて成ることを特徴とする折りたたみ型携帯通話機。
【請求項２】
前記センサは、人体の体温を検出するための感熱センサであることを特徴とする請求項１記載の折りたたみ型携帯通話機。
【請求項３】
前記実行手段が行う前記所定の処理の内容を予め記憶した記憶手段を有し、
前記実行手段は、前記センサからの信号に基づいて人体が前記筐体に接触したと判断したときに、前記記憶手段に記憶した前記所定の処理を実行することを特徴とする請求項１又は２記載の折りたたみ型携帯通話機。
【請求項４】
前記実行手段は、前記所定の処理として、アラームの鳴動中に人体が前記筐体に接触したと判断したときには前記アラームの鳴動を停止させることを特徴とする請求項１乃至３のいずれか一に記載の折りたたみ型携帯通話機。
【発明の詳細な説明】
【技術分野】
【０００１】
本発明は、第１の筐体要素と、前記第１の筐体要素に対して回転自在に取り付けられた第２の筐体要素とを有し、未使用時に前記第１、第２の筐体要素が相対的に折り畳まれると共に使用時に前記第１、第２の筐体要素が相対的に開いて使用される筐体を備えた携帯電話機等の折りたたみ型携帯通話機に関する。
【背景技術】
【０００２】
従来から、携帯電話機等の携帯型通話機が開発されている（例えば、特許文献１〜３参照）。
一般に、折りたたみ型携帯電話機を使用していない状態の多くは筐体が閉じられたままである。その状態でも着信やアラームは発生する。そのときに、携帯電話機のほとんどはキー操作によって電話に出たりアラーム鳴動を停止させる。その際には携帯電話機の筐体を開けなければならないため、操作が煩雑であるという問題がある。
【０００３】
一方、特許文献２に記載された折りたたみ型携帯電話機においては、開閉検出手段を有し、着信時に筐体を閉状態から開状態にしたとき、呼出状態は継続するがバイブレータの振動及び着信音を停止するように構成されている。これにより、キー操作が不要になるため、操作性を向上することが可能になる。
しかしながら、前記特許文献２記載の折りたたみ型携帯電話機においても、携帯電話機の筐体の開閉操作を行う必要があるため、操作が煩雑であるという問題が依然として残る。
【０００４】
ところで、特許文献３には、着信があった場合、携帯電話機に手を近付けことを人体感知手段で検出して自動的に着信応答するようにした携帯電話機が開示されている。前記特許文献２に記載された折りたたみ型携帯電話機に、特許文献３に記載されたような携帯電話機に手を近付けたことを感知する人体感知手段を設けることにより、携帯電話機に手を近付けることによって自動的に着信応答する折りたたみ型携帯電話機を構成することも可能である。
【０００５】
しかしながら、携帯電話機に手を近付ける意図が無いにも拘わらず、誤って手を携帯電話機に近付けてしまうようなことは少なからず生じやすい。このような場合、前記折りたたみ型携帯電話機においては、手を近付けただけで感知動作を行うため、誤動作が発生しやすいという問題がある。このような問題は、折りたたみ型携帯電話機のみならず、ＰＨＳ等の折りたたみ型携帯通話機においても存在する共通の問題である。
【０００６】
【特許文献１】実開平６−２３３５３号公報
【特許文献２】特開２００２−１５２３２５号公報
【特許文献３】特開平９−１３９７６４号公報
【発明の開示】
【発明が解決しようとする課題】
【０００７】
本発明は上述した問題点に鑑み成されたもので、折りたたみ型携帯通話機において、筐体を開閉することなく簡単な操作で、より確実に所定の動作を行わせることを可能にすることを課題としている。
【課題を解決するための手段】
【０００８】
本発明によれば、第１の筐体要素と、前記第１の筐体要素に対して回転自在に取り付けられた第２の筐体要素とを有し、未使用時に前記第１、第２の筐体要素が相対的に折りたたまれると共に使用時に前記第１、第２の筐体要素が相対的に開いて使用される筐体を備えた折りたたみ型携帯通話機において、前記第１、第２の筐体要素の少なくとも一方の外側に設けられ人体の接触を検出するためのセンサと、筐体の開閉を検出する開閉検出手段と、前記筐体が閉状態であることを前記開閉検出手段が検出している状態で、前記センサからの信号に基づいて人体が前記筐体に接触したと判断したときに、所定の処理を実行する実行手段とを備えて成ることを特徴とする折りたたみ型携帯通話機が提供される。
実行手段は、筐体が閉状態であることを開閉検出手段が検出している状態で、センサからの信号に基づいて人体が前記筐体に接触したと判断したときに、所定の処理を実行する。
【０００９】
ここで、前記センサは、人体の体温を検出するための感熱センサであるように構成してもよい。
また、前記実行手段が行う前記所定の処理の内容を予め記憶した記憶手段を有し、前記実行手段は、前記センサからの信号に基づいて人体が前記筐体に接触したと判断したときに、前記記憶手段に記憶した前記所定の処理を実行するように構成してもよい。
また、前記実行手段は、前記所定の処理として、アラームの鳴動中に人体が前記筐体に接触したと判断したときには前記アラームの鳴動を停止させるように構成してもよい。
【発明の効果】
【００１０】
本発明によれば、筐体を開閉することなく簡単な操作で、より確実に所定の動作を行わせることが可能になる。
【発明を実施するための最良の形態】
【００１１】
以下、本発明を実施するための最良の形態について図面を参照して詳細に説明する。
図１は本発明の実施の形態に係る折りたたみ型携帯通話機の回路構成を示すブロック図であり、折りたたみ型携帯電話機の例を示している。
図１において、携帯電話機は、音声等の入力及び出力を行うための音声入出力手段としての音声入出力部１０１、人体が筐体に接触したことを検出するためのセンサ１０２、記憶手段としてのメモリ１０３、無線による通信手段を構成するアンテナ１０４及び送受信部１０５、携帯電話機全体や各構成要素を制御する制御部１０６、複数の操作キーを有する操作手段としての操作部１０７、表示手段としての表示部１０８、筐体の開閉状態を検出する開閉検出手段としての開閉検出スイッチ１０９を備えている。
【００１２】
制御部１０６は、中央処理装置（ＣＰＵ）によって構成されており、メモリ１０３に予め記憶されているプログラムを実行することにより、携帯電話機の構成要素である音声入出力部１０１、センサ１０２、メモリ１０３、送受信部１０５、操作部１０７、表示部１０８を制御する制御手段として機能し、又、所定の処理を実行する実行手段として機能する。
音声入出力部１０１は、音声を入力するためのマイクや、通話音声、アラーム音、着信音等の音を出力するためのスピーカを有している。
【００１３】
センサ１０２は、携帯電話機の筐体に人体が接触したことを検出するためのセンサである。例えば、センサ１０２は、人体の体温を検出するための感熱センサである。センサ１０２が感熱センサの場合、センサ１０２は、人体（例えば手）が前記筐体に接触した際の熱を検出し、検出温度に応じた信号レベルの検出信号を出力する。
センサ１０２としては、人体が筐体に接触したことを検出できればよいため、感熱センサ以外にも、静電容量検出型タッチセンサ等のタッチセンサが使用可能である。また、人体の接触を検出するための各種センサを使用することが可能である。
【００１４】
操作部１０７は、使用者からの操作入力を受け付ける部分であり、複数の操作キー（数字キー、スクロールキー、通話キー、決定キー、終話キー等）を有している。
メモリ１０３は、制御部１０６が実行する所定の処理内容、制御部１０６が後述する処理等を実行するためのプログラム等が記憶されており又、電話帳や使用者のデータ等が記憶される。
【００１５】
表示部１０８は、例えば液晶表示装置（ＬＣＤ）等によって構成される表示装置であり、電話番号や画像等の表示を行う部分である。
送受信部１０５は、アンテナ１０４を介して他の携帯電話機等との間で音声やデータの通信を無線で行うためのものである。
開閉検出スイッチ１０９は、筐体の開閉状態を検出するためのスイッチであり、筐体が閉状態のときはオフ状態にあり、筐体が開状態のときはオン状態にあるスイッチである。
【００１６】
図２は、図１の携帯電話機の外観を示す側面図で、同図（ａ）は筐体を閉じた状態、同図（ｂ）は筐体を開いた状態を示す側面図であり、図１と同一部分には同一符号を付している。
図２において、携帯電話機は、第１の筐体要素２０１と、第１の筐体要素２０１に対して回転自在に取り付けられた第２の筐体要素２０２とによって構成された筐体を有している。筐体要素２０１と筐体要素２０２はヒンジ（図示せず）等によって相対的に回転自在に取り付けられている。
【００１７】
携帯電話機の未使用時には、筐体要素２０１、２０２は相対的に折り畳まれ（図２（ａ））又、使用時には、筐体要素２０１、２０２は相対的に開いて使用される（図２（ｂ））。即ち、筐体は、未使用時には折りたたまれ、使用時には開いて使用される。開閉検出スイッチ１０９（図２には図示せず）は、図２（ａ）のように筐体要素２０１、２０２が折りたたまれた状態ではオフ状態にあり又、図２（ｂ）のように筐体要素２０１、２０２が開いた状態ではオン状態にある。
【００１８】
筐体要素２０１の外側の全面には、筐体に対する人体の接触を検出するためのセンサ１０２が設けられている。また、筐体２０２の外側の全面には、筐体に対する人体の接触を検出するためのセンサ２０２が設けられている。尚、センサ２０２は、必ずしも筐体要素２０１、２０２の双方に設ける必要はなく、筐体要素２０１、２０２の少なくとも一方に設けるように構成してもよい。また、センサ１０２は広い面積で設けた方が精度よく人体の接触を検出することが可能ではあるが、必ずしも筐体２０１、２０２の全面に設ける必要はない。
【００１９】
筐体要素２０１の内側には操作部１０７が設けられ又、筐体要素２０２の内側には表示部１０８が設けられている。筐体を折りたたんだ状態では、図２（ａ）に示すように、操作部１０７と表示部１０８が対面した状態となる。また、筐体を開いた状態では、図２（ｂ）に示すように、操作部１０７は使用者が操作できるように露出し又、表示部１０８も使用者から見えるように露出する。
【００２０】
図３は、図１の携帯電話機における処理を示すフローチャートであり、制御部１０６がメモリ１０３に記憶されたプログラムを実行することによって行う処理を示している。尚、図３は、目覚ましアラームが鳴動した場合の制御部１０６の処理を例示している。
以下、図１〜図３を用いて本発明の実施の形態に係る折りたたみ型携帯電話機の動作を説明する。
前提条件として、使用者が操作部１０７を操作することによって、制御部１０６の制御の下で、目覚ましアラームの鳴動する時刻（アラーム時刻）がメモリ１０３にセットされているものとする。また、制御部１０６は、計時動作をしており、現在時刻がメモリ１０３に記憶されたアラーム時刻になったときに、音声入出力部１０１のスピーカからアラームを鳴動させるように動作する機能を有している。
【００２１】
この状態で、制御部１０６は、筐体が折りたたまれた状態にあるか否か、即ち、開閉検出スイッチ１０９がオフ状態か否かを判断する（ステップＳ３０１）。
制御部１０６は、ステップＳ３０１において、開閉検出スイッチ１０９がオフ状態、即ち、筐体が折りたたまれた状態であると判断した場合に、センサ１０２から検出信号を受信すると（ステップＳ３０２）、前記検出信号の信号レベルに基づいて、センサ１０２で検出した温度が予め定めた所定温度以上か否か、即ち、人体が携帯電話機の筐体に接触したか否かを判断する（ステップＳ３０３）。
【００２２】
制御部１０６は、ステップＳ３０３において、センサ１０２による検出温度が前記所定温度以上であると判断した場合、即ち、人体が筐体に接触したと判断した場合、目覚ましアラームが鳴動中か否かを判断する（ステップＳ３０４）。
制御部１０６は、前述したように、メモリ１０３に予めセットされた時刻が到来した場合にはアラームを鳴動させている。したがって、制御部１０６は、ステップＳ３０４において、目覚ましを示すアラームが鳴動中と判断した場合には、鳴動を停止して処理を終了する（ステップＳ３０５）。
一方、制御部１０６は、ステップＳ３０３において、センサ１０２による検出温度が前記所定温度以上ではないと判断した場合、即ち、人体が筐体に接触していないと判断した場合にはステップＳ３０２に戻り又、ステップＳ３０４において、目覚ましアラームが鳴動していないと判断した場合にはステップＳ３０２に戻って前記処理を繰り返す。
【００２３】
以上述べたように、本発明の実施の形態に係る折りたたみ型携帯電話機は、第１の筐体要素２０１と、第１の筐体要素２０１に対して回転自在に取り付けられた第２の筐体要素２０２とを有し、携帯電話機の未使用時に第１、第２の筐体要素２０１、２０２が相対的に折りたたまれると共に使用時に第１、第２の筐体要素２０１、２０２が相対的に開いて使用される筐体を備えた折りたたみ型携帯電話機において、第１、第２の筐体要素２０１、２０２の少なくとも一方の外側に設けられ人体の接触を検出するためのセンサ１０２と、筐体の開閉を検出する開閉検出スイッチ１０９と、前記筐体が閉状態であることを開閉検出スイッチ１０９が検出している状態で、センサ１０２からの信号に基づいて人体が前記筐体に接触したと判断したときに、所定の処理を実行する実行手段としての制御部１０６を備えている。
【００２４】
このように、筐体が折りたたんだ状態にあり且つ、人体が携帯電話機の筐体に触れたと制御部１０６が判断したときに所定の処理を実行するため、筐体の開操作を行うことなく又、操作部１０７を操作することなく、筐体を折りたたんだままの状態で所定の操作を行うことが可能になる。したがって、筐体を開閉することなく、手等を筐体に触れるだけという簡単な操作で所定の動作を行わせることが可能になる。
【００２５】
また、制御部１０６は、人体の体温を検出するセンサ１０２からの温度の検出信号が所定温度以上の場合、即ち、人体が筐体に接触したときに得られるような温度以上の場合に、人体が筐体に接触したと判断して所定の処理を行うようにしている。したがって、人体が筐体の近傍にきた場合でも誤って動作することが無いため、使用者が意識的に行った動作に応答して確実に所定動作を行わせることが可能になる。また、満員電車など身動きが取りにくいでも、容易に携帯電話に所定の処理を実行させることが可能になる。
【００２６】
尚、前記実施の形態では、目覚ましのアラームを停止させる場合の例で説明したが、他のアラーム等、他の処理を行うようにすることも可能である。
例えば、電源電圧を検出するセンサ（電圧検出手段）を設けておき、前記電圧検出手段によって電源電圧が所定電圧以下に低下したときに制御部１０６が、電源電圧が所定電圧以下に低下した旨を示すアラーム（低電圧アラーム）を鳴動させるように構成した場合には、実行手段としての制御部１０６は、センサ１０２からの信号に基づいて人体が筐体に接触したと判断したときに、前記低電圧を示すアラームの鳴動を停止させるように構成してもよい。
【００２７】
また、アンテナ１０４及び送受信部１０５を介して着信があった場合には、制御部１０６は音声入出力部１０１から着信音を鳴動させるが、実行手段としての制御部１０６は、着信音が鳴動している状態で、センサ１０２からの信号に基づいて人体が筐体に接触したと判断したときに、着信拒否を行うように構成してもよい。
また、着信があった場合に、実行手段としての制御部１０６は、着信音が鳴動している状態で、センサ１０２からの信号に基づいて人体が筐体に接触したと判断したときに、留守番電話に切り替えるように構成してもよい。
【産業上の利用可能性】
【００２８】
折りたたみ型携帯電話機のみならず、ＰＨＳ（Personal Handy Phone）等をはじめとする折りたたみ型携帯通話機に適用可能である。
【図面の簡単な説明】
【００２９】
【図１】本発明の実施の形態に係る折りたたみ型携帯通話機の構成を示すブロック図である。
【図２】本発明の実施の形態に係る折りたたみ型携帯通話機の側面図である。
【図３】本発明の実施の形態に係る折りたたみ型携帯通話機おける処理を示すフローチャートである。
【符号の説明】
【００３０】
１０１・・・音声入出力手段としての音声入出力部
１０２・・・センサ
１０３・・・記憶手段としてのメモリ
１０４・・・無線通信手段を構成するアンテナ
１０５・・・無線通信手段を構成する送受信部
１０６・・・実行手段及び制御手段としての制御部
１０７・・・操作手段としての操作部
１０８・・・表示手段としての表示部
１０９・・・開閉検出手段としての開閉検出スイッチ
２０１・・・筐体を構成する第１の筐体要素
２０２・・・筐体を構成する第２の筐体要素
【図１】
2006121257.tif 000003
【図２】
2006121257.tif 000004
【図３】
2006121257.tif 000005